(57)【要約】　　　（修正有）【課題】操作性に優れ、設置工事が容易で、場所をとらない、特に、寒冷地の水洗トイレのロータンク給水用として最適な水抜栓を提供する。【解決手段】地中に埋設される弁箱１から延長されるパイプ１３上端部に、流出口１９を有する流出金具２０を、さらにその上方にナット２２により操作部ケース２３を、それぞれ水平方向に回転可能に接続し、操作部ケース２３を支点として上下方向に回転する、レバー部２６を有する回転子２７に連結された操作桿を弁箱のピストン８から延長されるロッド１４に接続するとともに、流出口の上方に、弁箱のシリンダと同径かやや大径の、上記操作桿に装着する流出側環状パッキン３４が摺動する流出シリンダ１５を形成してなるものである。【選択図】　図１
2004019308.tif 000002
【特許請求の範囲】
【請求項１】
地中に埋設され、側方に流入口、排水口を、内部にシリンダを有する弁箱と、弁箱内に収容され、上記シリンダを摺動する環状パッキンを装着するピストンとを、それぞれパイプ、ロッドにより地上部に延長し、パイプ上端部に、流出口を有する流出金具を、さらにその上方にナットにより操作部ケースを、それぞれ水平方向に回転可能に接続し、上記操作部ケースを支点として上下方向に回転する、レバー部を有する回転子に連結された操作桿を上記ロッドに接続するとともに、流出口の上方に、弁箱のシリンダと同径かやや大径の、上記操作桿に装着する流出側環状パッキンが摺動する流出シリンダを形成してなる水抜栓。
【請求項２】
上記流出シリンダを上下に２個もうけ、上記流出シリンダに密着する２個の流出側環状パッキン間から、上側の流出側環状パッキン上方に開口する、大気をパイプ内に導入するための吸気路を形成し、上記吸気路内に、排水時に操作部ケース内への水の侵入を防止する止水弁を収容してなる請求項１記載の水抜栓。
【発明の詳細な説明】
【０００１】
【発明の属する技術分野】
本発明は、寒冷地で水道配管の凍結防止のために使用される水抜栓に関し、特に水洗トイレのロータンク給水用として最適な水抜栓に関する。
【０００２】
【従来の技術】
従来、寒冷地の水洗トイレの給水装置には、凍結を防止するため、水抜栓が使用されていたが、地中で水抜栓の弁箱の流出口と連結される立上管、水抜栓の２本のパイプが狭い室内に突出するので、操作がしずらく、雑然とした感じを受け、掃除の邪魔にもなる、物を置くスペースがそれだけ制約されるという欠陥があった。また、２本のパイプのスパンが固定されており、設置後は立上管を回転させられないので、便器取付の際、接続工事が大変になるという問題もあった。
【０００３】
【発明が解決しようとする課題】
本発明は上記課題を解決するために出願されたものであり、場所をとらず、すっきりした配置ができ、操作性が良く、接続工事も容易になる、特に水洗トイレのロータンク給水装置として最適な水抜栓を提供することを目的とする。
【０００４】
【課題を解決するための手段】
上記課題解決のため本発明の水抜栓は、地中に埋設され、側方に流入口、排水口を、内部にシリンダを有する弁箱と、弁箱内に収容され、上記シリンダを摺動する環状パッキンを装着するピストンとを、それぞれパイプ、ロッドにより地上部に延長し、パイプ上端部に流出口を有する流出金具を、さらにその上方にナットにより操作部ケースを、それぞれ水平方向に回転可能に接続し、上記操作部ケースを支点として上下方向に回転する、レバー部を有する回転子に連結された操作桿を、上記ロッドに接続するとともに、流出口の上方に、弁箱のシリンダと同径かやや大径の、上記操作桿に装着する流出側環状パッキンが摺動する流出シリンダを形成したものであり、室内には１本のパイプしか突出せず、流出口と、ハンドルの向きを自由に変えられるので、美観性、工事性、操作性に優れた水抜栓を提供できるものである。
【０００５】
【発明の実施の形態】
以下、図面に基づいて実施形態を詳細に説明する。図１に本発明の水抜栓の１実施例を示すが、地中、凍結深度以下に埋設された弁箱１は側方上方部に流入口２，下端部に排水口３をもうけ、内部には流入口２の上方に止水シリンダ４を、流入口２と排水準備室５間に中間シリンダ６を、排水準備室５と排水口３間に排水シリンダ７を形成する。
【０００６】
８はピストンであり、上記各シリンダ４，６，７を摺動する３個の環状パッキン９，１０，１１を装着し、内部に環状パッキン９上方から環状パッキン１０，１１間に連通する排水路１２をもうけている。なお、弁箱１はパイプ１３により、ピストン８はロッド１４により地上部に延長されている。図示しないが、排水口３には地中の汚水が弁箱１内に入り込まないよう、逆止弁が接続されている。
【０００７】
室内に突出したパイプ１３の上端に、上方にシリンダ４，６，７と同径の流出シリンダ１５を形成し、その下方に複数個の流出横穴１６を穿った支持金具１７をねじ接続して固定し、流出横穴１６に対応する位置に、パイプ１３と支持金具１７の段部１８に挟まれるように、回転自在の流出口１９を有する流出金具２０をもうけている。
【０００８】
支持金具１７上端の突起２１に係止されたナット２２にねじ接続された操作部ケース２３は、前端に窓部２４を形成し、その側部に支持ピン２５によりヒンジ結合される、レバー部２６を有する回転子２７を収容する。
【０００９】
回転子２７は二股状になっており、内部に、ロッド１４上端にねじ接続された操作桿２８の矩形部２９を挟み込むように収容し、矩形部２９に穿った横溝３０と、回転子２７に装着した連結ピン３１により両者は離脱しないよう、連結されている。
【００１０】
矩形部２９下端に、矩形部２９を挟み込むように捻りばね３２をロールピン３３により固定し、回転子２７に現状態を維持させるための押圧力を与えるようにしている。操作桿２８には流出シリンダ１５を摺動する流出側環状パッキン３４を装着しており、流出金具２０は２本のＯリング３５，３６を装着し、漏水を防止するようにしている。
【００１１】
図は通水状態を示しており、流入口２からの水は、パイプ１３を通り、流出横穴１６から流出口１９へと流れており、図示しないがロータンクへ至っている。この時、弁箱１の各シリンダ４，６，７と流出シリンダ１５は同径を有しているため、ピストン８と操作桿２８に作用する水圧による下降力および上昇力は相殺され、回転子２７を上下方向に回転させようとする力は働かない。
【００１２】
この状態から水を抜きたいときには、ロータンクを開放してレバー部２７を押し下げれば良く、ねじりばね３２の弾性力にうち勝って回転子２７は支持ピン２５を軸として回転し、それにともなって、連結ピン３１に横溝３０が係止された操作桿２８も上昇するが、まず、ピストン８の環状パッキン９が止水シリンダ４に密着して流入口２からの水を遮断し、その後で、環状パッキン１１が排水シリンダ７から離脱する。
【００１３】
約１１０゜回転してピストン８は最上昇位置に達し、排水状態となるが、この時は環状パッキン９，１０，３４により他所へ流出することなく、ロータンクに至る配管内の水は流出口１９、パイプ１３、排水路１２を通って排水口３から地中に排出される。
【００１４】
止水シリンダ４、中間シリンダ６は同径を有しているため、この時もピストン８には水圧による上昇、下降力は働かず、従ってハンドル操作も簡単、かつ軽くて済む、という利点がある。
【００１５】
流出金具２０は定位置で回転自在となっており、操作部ケース２３は、手締めにしたナット２２をゆるめれば向きを自由に変えられるので、非常に工事および操作が楽になるが、ナット２２をゆるめたり締めたりしないで、流出継手２０のように自在に回転させることも可能である。
【００１６】
図２に上部構造の他の実施例を示すが、流出口１９を有する流出金具２０を図１の支持金具２１と一体に形成し、端部を切り離した金属製の弾性環３７に係止された抜け止めナット３８により、弾性環３７は回転しないが、流出金具２０と抜け止めナット３８はパイプ１３に対し回転自在に接続されている。
【００１７】
流出金具２０の上端に操作ケース２３を上からナット２２で接続し、操作ケース２３にレバー部２６を有する回転子２７を支持ピン２５により、さらに、回転子２７に先端が二股状になった作動子３９を連結ピン３１により、それぞれヒンジ結合させている。
【００１８】
操作桿２８上端には、上記作動子３９が摺動するコの字状円形溝４０を穿ち、作動子３９を押圧するコイルばね４１を収容し、下方部には、流出金具２０の流出シリンダ１５，１５’を摺動する２個の流出側環状パッキン３４，３４’を装着する。
【００１９】
操作桿２８内部には、流出側環状パッキン３４，３４’間から流出側環状パッキン３４’上方に貫通する吸気路４２を形成し、その中に、ロッド１４上端に着座する止水弁４３を収容しており、通水状態においては流出側環状パッキン３４により、止水弁４３に圧力水が作用しないようにしている。３６は、パイプ１３上端に密着する漏水防止用のＯリングである。
【００２０】
図の通水状態からレバー部２６を下方に回転させると、支持ピン２５を中心として回転子２７も回転し、連結ピン３１により連結された作動子３９を横方向に移動させながら操作桿２８は上昇して排水状態となるが、そのとき、流出側環状パッキン３４が下側の流出シリンダ１５から離脱し、流出側環状パッキン３４’が上側の流出シリンダ１５’に密着する。
【００２１】
そのため、吸気路４２を介して大気がパイプ１３内に導入され、ロータンクを開放しなくても水抜きが可能となり、弁室内は暖房しているので凍結しないというところでは、排水したときでもロータンクに水を残しておき、夜中に使用できるという便利さがある。
【００２２】
吸気路４２内には止水弁４３が収容されているため、ロータンクの位置が高い場合でも吸気路４２から水が操作ケース２３側に流出することはない。また、常態である通水時には流出側環状パッキン３４により止水弁４３には圧力水が作用せず、そのため、漏水や、止水弁４３が長期間水圧により押圧されることによる、いわゆる固着が生じないという利点がある。
【００２３】
なお、流出口１９を水平位置で２箇所もうけ、ロータンクとウオシュレット給水用として使用しても良い。さらに、２箇所の流出口を段違いにもうけ、お互いに自由に回転させるようにもできる。操作部ケース２３の位置も自由に設定でき、レバー部２６は垂直方向に１８０゜以内の回転を行うため、どんな片隅や狭い所に取り付けられたとしても、レバー部２６が壁等に当たってハンドル操作が不能になるということはない。
【００２４】
本発明においては、弁箱のシリンダと流出シリンダを同径に形成しているため、水圧力がピストンを上昇させる力として作用せず、従ってハンドル操作も簡単、軽快に行うことができ、かつ、ピストンが水圧で自動的に移動してしまう、いわゆる自走も生じないが、修理等のためにピストンを引き抜くとき、ピストンの環状パッキンが、流出シリンダを摺動しないよう、弁箱のシリンダより流出シリンダを若干大きく形成しても構わない。なお、ピストンを引き抜くときは、ナット２２をゆるめて、操作部ケース２３，操作桿２８とともに容易に引き抜くことができる。
【００２５】
【発明の効果】
以上のように本発明においては、室内にはパイプが１本しか突出せず、流出口およびレバー部の向きを自由に変えられること、水圧の力を受けないこと、等の構成により、見た目にもすっきりし、室内をそれだけ有効に使用でき、掃除もしやすくなる等の他に、コストも低減でき、配管工事がしやすい、操作性がよいという効果を有するものであり、室内が狭く、便器等の陰になり操作しにくいことが多い、水洗トイレのロータンク給水用水抜栓として最適ではあるが、勿論、台所その他の給水用として使用しても差し支えない。
【図面の簡単な説明】
【図１】本発明の水抜栓の１実施例を示す、通水常態における縦断面図である。
【図２】本発明の水抜栓の他の実施例を示す、通水常態における部分縦断面図である。
【符号の説明】
１　　　　　　　弁箱
２　　　　　　　流入口
３　　　　　　　排水口
４，６，７　　　シリンダ
８　　　　　　　ピストン
９，１０，１１　環状パッキン
１３　　　　　　　パイプ
１４　　　　　　　ロッド
１５，１５’　　　流出シリンダ
１９　　　　　　　流出口
２０　　　　　　　流出金具
２２　　　　　　　ナット
２３　　　　　　　操作部ケース
２６　　　　　　　レバー部
２７　　　　　　　回転子
３４，３４’　　　流出側環状パッキン
４２　　　　　　　吸気路
４３　　　　　　　止水弁
【図１】
2004019308.tif 000003
【図２】
2004019308.tif 000004